(57)【要約】  短縮送信時間区間(sTTI)送信におけるタイミングアドバンス(TA)値に基づくワイヤレス送信タイミングが提供される。ワイヤレス送信用の1つまたは複数のコンポーネントキャリア(CC)に関連するTA値が識別されてよく、TAしきい値が識別されてよく、ワイヤレス送信に関連する1つまたは複数のパラメータは、TA値がTAしきい値を下回るときには第1の値に設定されてよく、TA値がTAしきい値を上回るときには第2の値に設定されてよい。1つまたは複数のパラメータは、ワイヤレス送信に関連するハイブリッド確認応答再送要求(HARQ)プロセスによるフィードバック送信に対するタイミングを含んでよく、フィードバック送信に対するタイミングは、TA値がTAしきい値を上回る場合に増大されてよい。
2020501435.tif 000002
【特許請求の範囲】
【請求項１】
ワイヤレス通信のための方法であって、
ワイヤレス送信に関連するタイミングアドバンス(TA)値を識別するステップと、
前記ワイヤレス送信の送信時間区間(TTI)に少なくとも部分的に基づいてTAしきい値を識別するステップと、
前記TA値および前記TAしきい値に少なくとも部分的に基づいて、前記ワイヤレス送信に関連する1つまたは複数のパラメータを設定するステップと
を備える方法。
【請求項２】
前記ワイヤレス送信用の2つ以上のコンポーネントキャリア(CC)を識別するステップをさらに備え、
前記TA値が、前記2つ以上のCCの各々にわたって共通であり、かつCCごとの個別TA、前記2つ以上のCCに対するアップリンク時間不整合値、または前記2つ以上のCCに対するダウンリンク時間不整合値のうちの1つまたは複数に基づく、請求項1に記載の方法。
【請求項３】
前記1つまたは複数のパラメータを設定する前記ステップが、前記TA値および前記TAしきい値に少なくとも部分的に基づいて、ダウンリンク送信の受信の成功を示すためのフィードバックタイミングを設定するステップを備える、請求項1に記載の方法。
【請求項４】
2つ以上のTAグループを識別するステップをさらに備え、
前記TA値が、TAグループごとのTA値を備える、請求項1に記載の方法。
【請求項５】
前記TAしきい値を識別する前記ステップが、
前記ワイヤレス送信の前記TTIが2シンボルTTIであるとき、前記TAしきい値を第1のTAしきい値として識別するステップと、
前記ワイヤレス送信の前記TTIが1スロットTTIまたは1ms TTIであるとき、前記TAしきい値を第2のTAしきい値として識別するステップと
を備える、請求項1に記載の方法。
【請求項６】
前記1つまたは複数のパラメータが、2つ以上のコンポーネントキャリアに対するTA値に少なくとも部分的に基づいて設定されるハイブリッド確認応答再送要求(HARQ)フィードバックタイミングパラメータを備える、請求項1に記載の方法。
【請求項７】
前記TA値を基地局に報告するステップをさらに備え、
前記TA値が、前記ワイヤレス送信用の2つ以上のコンポーネントキャリアに基づくTA値に相当する、請求項1に記載の方法。
【請求項８】
前記TAしきい値が、前記ワイヤレス送信用の複数のコンポーネントキャリア(CC)のうちのCCごとに識別される、請求項7に記載の方法。
【請求項９】
前記1つまたは複数のパラメータが、ハイブリッド確認応答再送要求(HARQ)フィードバックタイミングパラメータ、トランスポートブロックサイズスケーリングパラメータ、サポートされる空間送信レイヤの数、チャネル品質情報(CQI)タイプ報告、またはアップリンク送信スケジューリングのためのタイミングのうちの1つまたは複数を備える、請求項1に記載の方法。
【請求項１０】
前記1つまたは複数のパラメータを設定する前記ステップが、物理アップリンク制御チャネル(PUCCH)グループごとのコンポーネントキャリア(CC)の最大数を決定するステップを備える、請求項1に記載の方法。
【請求項１１】
前記TA値が、コンポーネントキャリアのうちの最も早いアップリンクキャリアと最も遅いダウンリンクキャリアとの間の時間ギャップに少なくとも部分的に基づく、請求項1に記載の方法。
【請求項１２】
前記時間ギャップが前記TAしきい値よりも小さい、請求項11に記載の方法。
【請求項１３】
前記TAしきい値が、前記ワイヤレス送信用の複数のコンポーネントキャリア(CC)のうちのCCごとに識別される、請求項1に記載の方法。
【請求項１４】
前記複数のCCが、1つもしくは複数のロングタームエボリューション(LTE)CC、1つもしくは複数の次世代ニューラジオ(NR)CC、またはそれらの組合せを備える、請求項13に記載の方法。
【請求項１５】
前記TAしきい値が、前記ワイヤレス送信用のコンポーネントキャリア(CC)の2つ以上のアップリンク制御チャネルグループの各々に対して識別される、請求項1に記載の方法。
【請求項１６】
前記2つ以上のアップリンク制御チャネルグループCCの各々が、キャリアアグリゲーションまたはデュアル接続性動作の一部である、請求項15に記載の方法。
【請求項１７】
前記方法が基地局によって実行され、前記方法が、前記ワイヤレス送信を送信するときに使用するために、前記1つまたは複数のパラメータをユーザ機器に提供するステップをさらに備える、請求項1に記載の方法。
【請求項１８】
前記方法がユーザ機器(UE)によって実行され、前記1つまたは複数のパラメータを設定する前記ステップが、前記ワイヤレス送信を送信するときに使用するために、基地局から前記1つまたは複数のパラメータを受信するステップを備える、請求項1に記載の方法。
【請求項１９】
ワイヤレス通信のための装置であって、システムの中に、
プロセッサと、
前記プロセッサと電子通信しているメモリと、
前記メモリの中に記憶された命令と
を備え、前記命令が、プロセッサによって実行されたとき、前記装置に、
ワイヤレス送信に関連するタイミングアドバンス(TA)値を識別させ、
前記ワイヤレス送信の送信時間区間(TTI)に少なくとも部分的に基づいてTAしきい値を識別させ、
前記TA値および前記TAしきい値に少なくとも部分的に基づいて、前記ワイヤレス送信に関連する1つまたは複数のパラメータを設定させる
ように動作可能である、装置。
【請求項２０】
ワイヤレス通信のための装置であって、
ワイヤレス送信に関連するタイミングアドバンス(TA)値を識別するための手段と、
前記ワイヤレス送信の送信時間区間(TTI)に少なくとも部分的に基づいてTAしきい値を識別するための手段と、
前記TA値および前記TAしきい値に少なくとも部分的に基づいて、前記ワイヤレス送信に関連する1つまたは複数のパラメータを設定するための手段と
を備える装置。
【請求項２１】
前記ワイヤレス送信用の2つ以上のコンポーネントキャリア(CC)を識別するための手段をさらに備え、
前記TA値が、前記2つ以上のCCの各々にわたって共通であり、かつCCごとの個別TA、前記2つ以上のCCに対するアップリンク時間不整合値、または前記2つ以上のCCに対するダウンリンク時間不整合値のうちの1つまたは複数に基づく、請求項20に記載の装置。
【請求項２２】
前記1つまたは複数のパラメータを設定するための前記手段が、前記TA値および前記TAしきい値に少なくとも部分的に基づいて、ダウンリンク送信の受信の成功を示すためのフィードバックタイミングを設定するための手段を備える、請求項20に記載の装置。
【請求項２３】
2つ以上のTAグループを識別するための手段をさらに備え、
前記TA値が、TAグループごとのTA値を備える、請求項20に記載の装置。
【請求項２４】
前記TAしきい値を識別するための前記手段が、
前記ワイヤレス送信の前記TTIが2シンボルTTIであるとき、前記TAしきい値を第1のTAしきい値として識別するための手段と、
前記ワイヤレス送信の前記TTIが1スロットTTIまたは1ms TTIであるとき、前記TAしきい値を第2のTAしきい値として識別するための手段とを備える、請求項20に記載の装置。
【請求項２５】
前記1つまたは複数のパラメータが、2つ以上のコンポーネントキャリアに対するTA値に少なくとも部分的に基づいて設定されるハイブリッド確認応答再送要求(HARQ)フィードバックタイミングパラメータを備える、請求項20に記載の装置。
【請求項２６】
前記TA値を基地局に報告するための手段をさらに備え、
前記TA値が、前記ワイヤレス送信用の2つ以上のコンポーネントキャリアに基づくTA値に相当する、請求項20に記載の装置。
【請求項２７】
前記TAしきい値が、前記ワイヤレス送信用の複数のコンポーネントキャリア(CC)のうちのCCごとに識別される、請求項26に記載の装置。
【請求項２８】
前記1つまたは複数のパラメータが、ハイブリッド確認応答再送要求(HARQ)フィードバックタイミングパラメータ、トランスポートブロックサイズスケーリングパラメータ、サポートされる空間送信レイヤの数、チャネル品質情報(CQI)タイプ報告、またはアップリンク送信スケジューリングのためのタイミングのうちの1つまたは複数を備える、請求項20に記載の装置。
【請求項２９】
前記1つまたは複数のパラメータを設定するための前記手段が、
物理アップリンク制御チャネル(PUCCH)グループごとのコンポーネントキャリア(CC)の最大数を決定するための手段を備える、請求項20に記載の装置。
【請求項３０】
前記TA値が、コンポーネントキャリアのうちの最も早いアップリンクキャリアと最も遅いダウンリンクキャリアとの間の時間ギャップに少なくとも部分的に基づく、請求項20に記載の装置。
【請求項３１】
前記時間ギャップが前記TAしきい値よりも小さい、請求項30に記載の装置。
【請求項３２】
前記TAしきい値が、前記ワイヤレス送信用の複数のコンポーネントキャリア(CC)のうちのCCごとに識別される、請求項20に記載の装置。
【請求項３３】
前記複数のCCが、1つもしくは複数のLTE CC、1つもしくは複数のNR CC、またはそれらの組合せを備える、請求項32に記載の装置。
【請求項３４】
前記TAしきい値が、前記ワイヤレス送信用のコンポーネントキャリア(CC)の2つ以上のアップリンク制御チャネルグループの各々に対して識別される、請求項20に記載の装置。
【請求項３５】
前記2つ以上のアップリンク制御チャネルグループの各々が、キャリアアグリゲーションまたはデュアル接続性動作の一部である、請求項34に記載の装置。
【請求項３６】
前記装置が基地局であり、前記1つまたは複数のパラメータを設定するための前記手段が、
前記ワイヤレス送信を送信するときに使用するために、前記1つまたは複数のパラメータをユーザ機器に提供するための手段を備える、請求項20に記載の装置。
【請求項３７】
前記装置がユーザ機器(UE)であり、前記1つまたは複数のパラメータを設定するための前記手段が、
前記ワイヤレス送信を送信するときに使用するために、基地局から前記1つまたは複数のパラメータを受信するための手段を備える、請求項20に記載の装置。
【請求項３８】
ワイヤレス通信のためのコードを記憶した非一時的コンピュータ可読記録媒体であって、前記コードが、
ワイヤレス送信に関連するタイミングアドバンス(TA)値を識別し、
前記ワイヤレス送信の送信時間区間(TTI)に少なくとも部分的に基づいてTAしきい値を識別し、
前記TA値および前記TAしきい値に少なくとも部分的に基づいて、前記ワイヤレス送信に関連する1つまたは複数のパラメータを設定するように、プロセッサによって実行可能な命令を備える、非一時的コンピュータ可読記録媒体。
【発明の詳細な説明】
【技術分野】
【０００１】
相互参照
本特許出願は、2016年12月6日に出願されたHosseiniらによる「Wireless Transmission Timing Based On Timing Advance Values In Shortened Transmission Time Interval Transmissions」と題する米国仮特許出願第62/430,880号、および2017年12月5日に出願されたHosseiniらによる「Wireless Transmission Timing Based On Timing Advance Values In Shortened Transmission Time Interval Transmissions」と題する米国特許出願第15/832,392号の優先権を主張し、その各々が本出願の譲受人に譲渡される。
【０００２】
以下は、一般に、ワイヤレス通信に関し、より詳細には、短縮送信時間区間送信(shortened transmission time interval transmission)におけるタイミングアドバンス値に基づくワイヤレス送信タイミングに関する。
【背景技術】
【０００３】
ワイヤレス多元接続技術は、異なるワイヤレスデバイスが都市、国家、地域、さらには地球規模で通信することを可能にする共通プロトコルを提供するために、様々な電気通信規格において採用されている。例示的な電気通信規格はロングタームエボリューション(LTE)である。LTEは、スペクトル効率を改善し、コストを下げ、サービスを改善し、新たなスペクトルを利用し、他のオープン規格とより良く統合するように設計されている。LTEは、ダウンリンク(DL)上でOFDMAを、アップリンク(UL)上でシングルキャリア周波数分割多元接続(SC-FDMA)を、また多入力多出力(MIMO)アンテナ技術を使用し得る。
【０００４】
いくつかの例では、ワイヤレス多元接続通信システムは、場合によってはユーザ機器(UE:user equipment)と呼ばれる複数の通信デバイスのための通信を各々が同時にサポートする、いくつかの基地局を含み得る。LTEまたはLTEアドバンスト(LTE-A)ネットワークでは、1つまたは複数の基地局のセットがeノードB(eNB:eNodeB)を規定し得る。他の例では(たとえば、次世代ニューラジオ(NR:new radio)または5Gネットワークでは)、ワイヤレス多元接続通信システムは、いくつかのアクセスノードコントローラ(ANC:access node controller)と通信しているいくつかのスマートラジオヘッド(RH:radio head)を含んでよく、ここで、ANCと通信している1つまたは複数のRHのセットが基地局(たとえば、eNBまたはgNB)を規定する。基地局は、(たとえば、基地局からUEへの送信用の)ダウンリンク(DL)チャネル上および(たとえば、UEから基地局への送信用の)アップリンク(UL)チャネル上で、UEのセットと通信し得る。
【０００５】
いくつかのLTEまたはNR展開における基地局は、レガシーLTE TTIに比べて長さが縮小され得る異なる長さの送信時間区間(TTI:transmission time interval)を使用して、1つまたは複数のUEへ送信し得る。そのような長さが縮小されたTTIは、短縮TTI(sTTI:shortened TTI)と呼ばれることがあり、sTTIを使用して通信するユーザは、低レイテンシユーザと呼ばれることがある。sTTIは、レガシーTTIサブフレームに相当する1つまたは複数のサブフレームのサブセットであり得る。基地局は、sTTI送信のために使用されるべき時間リソース、周波数リソース、および1つまたは複数のコンポーネントキャリア(CC:component carrier)を含み得る、sTTI用の送信リソースをUEに割り振り得る。ネットワークの中で動作するUEは、アップリンク送信の伝搬遅延を補正する、基地局における同期されたアップリンク受信をもたらすように、タイミングアドバンス(TA:timing advance)値を使用してアップリンク送信時間を調整し得る。sTTIを使用して送信するとき、レガシーLTE TTI持続時間を使用し得る送信と比較して、TA値はTTI持続時間の比較的大きい部分であり得る。
【発明の概要】
【課題を解決するための手段】
【０００６】
説明する技法は、短縮送信時間区間送信におけるタイミングアドバンス値に基づくワイヤレス送信タイミングをサポートする、改善された方法、システム、デバイス、または装置に関する。概して、説明する技法は、ワイヤレス送信用の1つまたは複数のコンポーネントキャリア(CC)に関連するタイミングアドバンス(TA)値を識別することと、TAしきい値を識別することと、ワイヤレス送信に関連する1つまたは複数のパラメータを、TA値がTAしきい値を下回るときには第1の値に、またTA値がTAしきい値を上回るときには第2の値に設定することとを行う。たとえば、パラメータは、ワイヤレス送信に関連するハイブリッド確認応答再送要求(HARQ:hybrid acknowledgement repeat request)プロセスによるフィードバック送信に対するタイミングであってよく、フィードバック送信に対するタイミングは、TA値がTAしきい値を上回る場合に増大されてよい。
【０００７】
場合によっては、TAしきい値は、ワイヤレス送信の送信時間区間(TTI)持続時間に少なくとも部分的に基づいて識別され得る。いくつかの例では、TTI持続時間が短縮TTI(sTTI)である場合、TAしきい値は、UEがフィードバック送信タイミング内にフィードバック情報を生成するための十分な処理時間を与えるように設定されてよく、TA値がTAしきい値を超える場合、フィードバック送信タイミングは、追加の時間を与えるように設定されてよい。場合によっては、TA値は、2つ以上のコンポーネントキャリア(CC)に対する2つ以上のTA値に基づいて識別されてよく、1つまたは複数のパラメータは、CCごとの個別TA値、2つ以上のCCの最大TA値、CCに関連するタイミング不整合値(timing mismatch value)、またはそれらの任意の組合せに基づいて設定されてよい。いくつかの例では、TA値は、物理アップリンク制御チャネル(PUCCH:physical uplink control channel)グループ構成またはTAグループ(TAG:TA group)構成に関連し得、2つ以上のCCがPUCCHグループまたはTAGに属し得る。いくつかの例では、ワイヤレス送信に関連する1つまたは複数のパラメータは、HARQフィードバックタイミングパラメータ、トランスポートブロックサイズ(TBS:transport block size)スケーリングパラメータ、サポートされる空間送信レイヤの数、チャネル品質情報(CQI:channel quality information)タイプ報告、アップリンク送信スケジューリングのためのタイミング、またはそれらの任意の組合せを含み得る。
【０００８】
ワイヤレス通信の方法が説明される。方法は、ワイヤレス送信に関連するTA値を識別することと、ワイヤレス送信のTTIに少なくとも部分的に基づいてTAしきい値を識別することと、TA値およびTAしきい値に少なくとも部分的に基づいて、ワイヤレス送信に関連する1つまたは複数のパラメータを設定することとを含み得る。
【０００９】
ワイヤレス通信のための装置が説明される。装置は、ワイヤレス送信に関連するTA値を識別するための手段と、ワイヤレス送信のTTIに少なくとも部分的に基づいてTAしきい値を識別するための手段と、TA値およびTAしきい値に少なくとも部分的に基づいて、ワイヤレス送信に関連する1つまたは複数のパラメータを設定するための手段とを含み得る。
【００１０】
ワイヤレス通信のための別の装置が説明される。装置は、プロセッサと、プロセッサと電子通信しているメモリと、メモリの中に記憶された命令とを含み得る。命令は、プロセッサに、ワイヤレス送信に関連するTA値を識別させ、ワイヤレス送信のTTIに少なくとも部分的に基づいてTAしきい値を識別させ、TA値およびTAしきい値に少なくとも部分的に基づいて、ワイヤレス送信に関連する1つまたは複数のパラメータを設定させるように動作可能であり得る。
【００１１】
ワイヤレス通信のための非一時的コンピュータ可読媒体が説明される。非一時的コンピュータ可読媒体は、プロセッサに、ワイヤレス送信に関連するTA値を識別させ、ワイヤレス送信のTTIに少なくとも部分的に基づいてTAしきい値を識別させ、TA値およびTAしきい値に少なくとも部分的に基づいて、ワイヤレス送信に関連する1つまたは複数のパラメータを設定させるように動作可能な命令を含み得る。
【００１２】
上記で説明した方法、装置、および非一時的コンピュータ可読媒体のいくつかの例は、ワイヤレス送信用の2つ以上のCCを識別するためのプロセス、機能、手段、または命令をさらに含み得、TA値は、2つ以上のCCの各々にわたって共通であってよく、かつCCごとの個別TA、2つ以上のCCに対するアップリンク時間不整合値、または2つ以上のCCに対するダウンリンク時間不整合値のうちの1つまたは複数に基づく。
【００１３】
上記で説明した方法、装置、および非一時的コンピュータ可読媒体のいくつかの例では、1つまたは複数のパラメータを設定することは、TA値およびTAしきい値に少なくとも部分的に基づいて、ダウンリンク送信の受信の成功を示すためのフィードバックタイミングを設定することを備える。
【００１４】
上記で説明した方法、装置、および非一時的コンピュータ可読媒体のいくつかの例は、2つ以上のTAグループを識別するためのプロセス、機能、手段、または命令をさらに含み得、TA値は、TAグループごとのTA値を備える。
【００１５】
上記で説明した方法、装置、および非一時的コンピュータ可読媒体のいくつかの例では、TAしきい値を識別することは、ワイヤレス送信のTTIが2シンボルTTIであり得るとき、TAしきい値を第1のTAしきい値として識別することと、ワイヤレス送信のTTIが1スロットTTIまたは1ms TTIであり得るとき、TAしきい値を第2のTAしきい値として識別することとを備える。第2のTAしきい値は、1スロットTTIおよび1ms TTIにとって同じであってもなくてもよい。
【００１６】
上記で説明した方法、装置、および非一時的コンピュータ可読媒体のいくつかの例では、1つまたは複数のパラメータは、2つ以上のコンポーネントキャリアに対するTA値に少なくとも部分的に基づいて設定され得るHARQフィードバックタイミングパラメータを備える。上記で説明した方法、装置、および非一時的コンピュータ可読媒体のいくつかの例は、TA値を基地局に報告するためのプロセス、機能、手段、または命令をさらに含み得、TA値は、ワイヤレス送信用の2つ以上のコンポーネントキャリアに基づくTA値に相当する。上記で説明した方法、装置、および非一時的コンピュータ可読媒体のいくつかの例では、TAしきい値は、ワイヤレス送信用の複数のCCのうちのCCごとに識別され得る。
【００１７】
上記で説明した方法、装置、および非一時的コンピュータ可読媒体のいくつかの例では、1つまたは複数のパラメータは、HARQフィードバックタイミングパラメータ、トランスポートブロックサイズスケーリングパラメータ、サポートされる空間送信レイヤの数、CQIタイプ報告、またはアップリンク送信スケジューリングのためのタイミングのうちの1つまたは複数を備える。
【００１８】
上記で説明した方法、装置、および非一時的コンピュータ可読媒体のいくつかの例では、TAしきい値は、ワイヤレス送信用の複数のCCのうちのCCごとに識別され得る。上記で説明した方法、装置、および非一時的コンピュータ可読媒体のいくつかの例では、複数のCCは、1つもしくは複数のLTE CC、1つもしくは複数のNR CC、またはそれらの組合せを備える。上記で説明した方法、装置、および非一時的コンピュータ可読媒体のいくつかの例では、TAしきい値は、ワイヤレス送信用のCCの2つ以上のアップリンク制御チャネルグループの各々に対して識別され得る。上記で説明した方法、装置、および非一時的コンピュータ可読媒体のいくつかの例では、CCの各グループは、キャリアアグリゲーショングループまたはデュアル接続性グループの一部であってよい。
【００１９】
上記で説明した方法、装置、および非一時的コンピュータ可読媒体のいくつかの例では、1つまたは複数のパラメータは、ワイヤレス送信を送信するときに使用するために、基地局からユーザ機器に提供され得る。上記で説明した方法、装置、および非一時的コンピュータ可読媒体のいくつかの例では、1つまたは複数のパラメータは、ワイヤレス送信を送信するときに使用するために、基地局から1つまたは複数のパラメータを受信することに基づいて、UEによって設定され得る。
【００２０】
上記で説明した方法、装置、および非一時的コンピュータ可読媒体のいくつかの例では、1つまたは複数のパラメータを設定することは、物理アップリンク制御チャネル(PUCCH)グループごとのコンポーネントキャリア(CC)の最大数を決定することを備える。上記で説明した方法、装置、および非一時的コンピュータ可読媒体のいくつかの例では、TA値は、コンポーネントキャリアのうちの最も早いアップリンクキャリアと最も遅いダウンリンクキャリアとの間の時間ギャップに少なくとも部分的に基づく。上記で説明した方法、装置、および非一時的コンピュータ可読媒体のいくつかの例では、時間ギャップはTAしきい値よりも小さい。
【図面の簡単な説明】
【００２１】
【図１】本開示の態様による、短縮送信時間区間送信におけるタイミングアドバンス値に基づくワイヤレス送信タイミングをサポートするワイヤレス通信のためのシステムの一例を示す図である。
【図２】本開示の態様による、短縮送信時間区間送信におけるタイミングアドバンス値に基づくワイヤレス送信タイミングをサポートするワイヤレス通信システムの一例を示す図である。
【図３】本開示の態様による、短縮送信時間区間送信におけるタイミングアドバンス値に基づくワイヤレス送信タイミングをサポートする複数のコンポーネントキャリアに対する、タイミングアドバンスの一例を示す図である。
【図４】本開示の態様による、短縮送信時間区間送信におけるタイミングアドバンス値に基づくワイヤレス送信タイミングをサポートする複数のコンポーネントキャリアに対する、タイミングアドバンスの別の例を示す図である。
【図５Ａ】本開示の態様による、短縮送信時間区間送信におけるタイミングアドバンス値に基づくワイヤレス送信タイミングをサポートするコンポーネントキャリア間の最大タイミング不整合に関する、タイミングアドバンスの例を示す図である。
【図５Ｂ】本開示の態様による、短縮送信時間区間送信におけるタイミングアドバンス値に基づくワイヤレス送信タイミングをサポートするコンポーネントキャリア間の最大タイミング不整合に関する、タイミングアドバンスの例を示す図である。
【図６】本開示の態様による、短縮送信時間区間送信におけるタイミングアドバンス値に基づくワイヤレス送信タイミングをサポートする異なるPUCCHグループおよび異なるタイミングアドバンスグループの一例を示す図である。
【図７】本開示の態様による、短縮送信時間区間送信におけるタイミングアドバンス値に基づくワイヤレス送信タイミングをサポートするプロセスフローの一例を示す図である。
【図８】本開示の態様による、短縮送信時間区間送信におけるタイミングアドバンス値に基づくワイヤレス送信タイミングをサポートするデバイスのブロック図である。
【図９】本開示の態様による、短縮送信時間区間送信におけるタイミングアドバンス値に基づくワイヤレス送信タイミングをサポートするデバイスのブロック図である。
【図１０】本開示の態様による、短縮送信時間区間送信におけるタイミングアドバンス値に基づくワイヤレス送信タイミングをサポートするデバイスのブロック図である。
【図１１】本開示の態様による、短縮送信時間区間送信におけるタイミングアドバンス値に基づくワイヤレス送信タイミングをサポートするUEを含むシステムのブロック図である。
【図１２】本開示の態様による、短縮送信時間区間送信におけるタイミングアドバンス値に基づくワイヤレス送信タイミングをサポートする基地局を含むシステムのブロック図である。
【図１３】本開示の態様による、短縮送信時間区間送信におけるタイミングアドバンス値に基づくワイヤレス送信タイミングのための方法を示す図である。
【図１４】本開示の態様による、短縮送信時間区間送信におけるタイミングアドバンス値に基づくワイヤレス送信タイミングのための方法を示す図である。
【図１５】本開示の態様による、短縮送信時間区間送信におけるタイミングアドバンス値に基づくワイヤレス送信タイミングのための方法を示す図である。
【発明を実施するための形態】
【００２２】
説明する技法は、短縮送信時間区間(sTTI)送信におけるタイミングアドバンス値に基づくワイヤレス送信タイミングをサポートする、改善された方法、システム、デバイス、または装置に関する。sTTI送信に対して割り振られたリソースは、1ms(すなわち、レガシーLTE)TTI持続時間を使用し得る拡張モバイルブロードバンド(eMBB:enhanced mobile broadband)送信などの通信に比べて、レイテンシに敏感なアップリンク通信およびダウンリンク通信(低レイテンシ通信と呼ばれる)のために使用され得る。場合によっては、sTTI持続時間は、たとえば、ワイヤレスサブフレームの1つのスロット、または2つもしくは3つの直交周波数分割多重(OFDM)シンボルに相当し得、1ms TTI持続時間は、1msサブフレームとしての持続時間に相当し得る。
【００２３】
そのような低レイテンシ通信は、たとえば、データ通信のための複数の異なるサービスをサポートし得るシステムにおいて使用され得る。そのような異なるサービスは、通信の性質に応じて選択され得る。たとえば、低レイテンシおよび高信頼性を必要とする通信は、ミッションクリティカル(MiCr)通信と呼ばれることがあり、sTTIを使用しレイテンシがより低いサービス(たとえば、超高信頼低レイテンシ通信(URLLC:ultra-reliable low-latency communication)サービス)を通じてサービスされ得る。それに対応して、より遅延に寛容な通信は、1ms TTIを使用するモバイルブロードバンドサービス(たとえば、eMBBサービス)などの、いくぶん高いレイテンシを伴って比較的高いスループットをもたらすサービスを通じてサービスされ得る。他の例では、通信は、他のデバイス(たとえば、メーター、車両、機器、機械類など)の中に組み込まれているUEとの通信であってよく、そのような通信のためにマシンタイプ通信(MTC:machine-type communication)サービス(たとえば、マッシブMTC(mMTC:massive MTC))が使用され得る。場合によっては、異なるサービス(たとえば、eMBB、URLLC、mMTC)は、異なるTTI、異なるサブキャリア(すなわち、トーン)間隔、および異なるサイクリックプレフィックスを有してよい。
【００２４】
高帯域幅動作、より動的なサブフレーム/スロットタイプ、および自蔵式サブフレーム/スロットタイプ(サブフレーム/スロットに対するHARQフィードバックが、サブフレーム/スロットの終了の前に送信され得る)などの特徴をサポートするように設計されつつある次世代ネットワーク(たとえば、5GまたはNRネットワーク)に関して、本開示は様々な技法を説明する。しかしながら、そのような技法は、異なる長さのTTIがワイヤレス通信システムにおいて送信され得る、任意のシステムのために使用されてよい。
【００２５】
様々な例において提供される説明する技法は、ワイヤレス送信用の1つまたは複数のコンポーネントキャリア(CC)に関連するタイミングアドバンス(TA)値を識別することと、TAしきい値を識別することと、ワイヤレス送信に関連する1つまたは複数のパラメータを、TA値がTAしきい値を下回るときには第1の値に、またTA値がTAしきい値を上回るときには第2の値に設定することとを行う。たとえば、パラメータは、ワイヤレス送信に関連するハイブリッド確認応答再送要求(HARQ)プロセスによるフィードバック送信に対するタイミングであってよく、フィードバック送信に対するタイミングは、TA値がTAしきい値を上回る場合に増大されてよい。
【００２６】
場合によっては、TAしきい値は、ワイヤレス送信のTTI持続時間に少なくとも部分的に基づいて識別され得る。いくつかの例では、ワイヤレス送信がsTTI持続時間を使用する場合、TAしきい値は、UEがフィードバック送信タイミング内にフィードバック情報を生成するための十分な処理時間を与えるように設定されてよい。そのような場合には、TA値がTAしきい値を超える場合、フィードバック送信タイミングは、UEがフィードバック情報を生成するための処理を実行するための追加の時間を与えるように設定されてよい。場合によっては、TA値は、2つ以上のコンポーネントキャリア(CC)に対する2つ以上のTA値に基づいて識別されてよく、1つまたは複数のパラメータは、CCごとの個別TA値、2つ以上のCCの最大TA値、CCに関連するタイミング不整合値、またはそれらの任意の組合せに基づいて設定されてよい。いくつかの例では、TA値は、物理アップリンク制御チャネル(PUCCH)グループ構成またはTAグループ(TAG)構成に関連し得、2つ以上のCCがPUCCHグループまたはTAGに属し得る。いくつかの例では、ワイヤレス送信に関連する1つまたは複数のパラメータは、HARQフィードバックタイミングパラメータ、トランスポートブロックサイズ(TBS)スケーリングパラメータ、サポートされる空間送信レイヤの数、チャネル品質情報(CQI)タイプ報告、アップリンク送信スケジューリングのためのタイミング、またはそれらの任意の組合せを含み得る。
【００２７】
本開示の態様は、最初にワイヤレス通信システムのコンテキストで説明される。異なるCCおよびsTTIに対するTAの様々な例が、次いで説明される。本開示の態様はさらに、短縮送信時間区間送信におけるタイミングアドバンス値に基づくワイヤレス送信タイミングに関係する装置図、システム図、およびフローチャートによって図示され、それらを参照しながら説明される。
【００２８】
図1は、本開示の様々な態様によるワイヤレス通信システム100の一例を示す。ワイヤレス通信システム100は、基地局105、UE115、およびコアネットワーク130を含む。いくつかの例では、ワイヤレス通信システム100は、LTE(または、LTEアドバンスト)ネットワーク、あるいはニューラジオ(NR)ネットワークであってよい。場合によっては、ワイヤレス通信システム100は、拡張ブロードバンド通信、超高信頼(すなわち、ミッションクリティカル)通信、低レイテンシ通信、および低コストかつ低複雑度のデバイスとの通信をサポートし得る。ワイヤレス通信システム100は、sTTI送信におけるTA値およびTAしきい値に基づくワイヤレス送信タイミングを提供し得る。
【００２９】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100に示す通信リンク125は、UE115から基地局105へのアップリンク(UL)送信、または基地局105からUE115へのダウンリンク(DL)送信を含み得る。制御情報およびデータは、様々な技法に従ってアップリンクチャネル上またはダウンリンクチャネル上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルのTTIの間に送信される制御情報は、カスケード方式で異なる制御領域の間に(たとえば、共通制御領域と1つまたは複数のUE固有制御領域との間に)分散され得る。
【００３０】
UE115はワイヤレス通信システム100全体にわたって分散されてよく、各UE115は固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC)デバイス、機器、自動車などであってよい。
【００３１】
基地局105は、コアネットワーク130と、かつ互いに通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いに通信し得る。基地局105は、UE115との通信のための無線構成およびスケジューリングを実行し得、または基地局コントローラ(図示せず)の制御下で動作し得る。いくつかの例では、基地局105は、マクロセル、スモールセル、ホットスポットなどであってよい。基地局105は、eノードB(eNB)105と呼ばれることもある。
【００３２】
基地局105は、S1インターフェースによってコアネットワーク130に接続され得る。コアネットワークは発展型パケットコア(EPC)であってよく、発展型パケットコアは、少なくとも1つのMME、少なくとも1つのS-GW、および少なくとも1つのP-GWを含み得る。MMEは、UE115とEPCとの間のシグナリングを処理する制御ノードであってよい。すべてのユーザIPパケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS)、およびパケット交換(PS)ストリーミングサービス(PSS)を含み得る。
【００３３】
コアネットワーク130は、ユーザ認証、アクセス許可、トラッキング、インターネットプロトコル(IP)接続性、および他のアクセス機能、ルーティング機能、またはモビリティ機能を提供し得る。基地局105などのネットワークデバイスのうちの少なくともいくつかは、アクセスネットワークエンティティなどのサブコンポーネントを含んでよく、アクセスネットワークエンティティは、アクセスノードコントローラ(ANC)の一例であってよい。各アクセスネットワークエンティティは、その各々がスマートラジオヘッドまたは送信/受信ポイント(TRP:transmission/reception point)の一例であってよい、いくつかの他のアクセスネットワーク送信エンティティを通じて、いくつかのUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてもよい。
【００３４】
多入力多出力(MIMO)ワイヤレスシステムは、送信機(たとえば、基地局)と受信機(たとえば、UE)との間の送信方式を使用し、送信機と受信機の両方は、複数のアンテナが装備される。ワイヤレス通信システム100のいくつかの部分は、ビームフォーミングを使用し得る。たとえば、基地局105は、基地局105がUE115とのその通信においてビームフォーミングのために使用し得るアンテナポートのいくつかの行および列を有するアンテナアレイを有し得る。信号は、異なる方向において複数回送信され得る(たとえば、各送信は、異なるようにビームフォーミングされ得る)。場合によっては、基地局105またはUE115のアンテナは、ビームフォーミングまたはMIMO動作をサポートし得る1つまたは複数のアンテナアレイ内に位置し得る。1つまたは複数の基地局アンテナまたはアンテナアレイは、アンテナタワーなどのアンテナアセンブリにおいて一緒に置かれてよい。場合によっては、基地局105に関連するアンテナまたはアンテナアレイは、多様な地理的ロケーションに位置し得る。基地局105は、UE115との指向性通信のためのビームフォーミング動作を行うために、複数のアンテナまたはアンテナアレイを使用し得る。
【００３５】
場合によっては、ワイヤレス通信システム100は、階層化プロトコルスタックに従って動作するパケットベースネットワークであってよい。ユーザプレーンでは、ベアラまたはパケットデータコンバージェンスプロトコル(PDCP)レイヤにおける通信は、IPベースであってよい。無線リンク制御(RLC)レイヤは、場合によっては、論理チャネルを介して通信するために、パケットのセグメンテーションおよびリアセンブリを実行し得る。媒体アクセス制御(MAC)レイヤは、優先度処理、およびトランスポートチャネルへの論理チャネルの多重化を実行し得る。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００３６】
ワイヤレス通信システム100は、複数のセル上またはキャリア上での動作、すなわち、キャリアアグリゲーション(CA:carrier aggregation)またはマルチキャリア動作と呼ばれることがある機能をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用され得る。UE115は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方を用いて使用されてよい。
【００３７】
場合によっては、ワイヤレス通信システム100は、拡張コンポーネントキャリア(eCC:enhanced component carrier)を利用し得る。eCCは、より広い帯域幅、より短いシンボル持続時間、sTTI、および修正された制御チャネル構成を含む、1つまたは複数の特徴によって特徴づけられ得る。場合によっては、eCCは、キャリアアグリゲーション構成またはデュアル接続性(DC:dual connectivity)構成(たとえば、複数のサービングセルがUE115をサービスするとき)に関連することがある。eCCはまた、無認可スペクトルまたは共有スペクトル(2つ以上の事業者がスペクトルを使用することを許可されている)における使用のために構成され得る。広い帯域幅によって特徴づけられるeCCは、帯域幅全体を監視できないかまたは(たとえば、電力を温存するために)限定された帯域幅を使用するのを好むUE115によって利用され得る、1つまたは複数のセグメントを含み得る。
【００３８】
場合によっては、eCCは、他のCCとは異なるシンボル持続時間を利用してよく、そのことは、他のCCのシンボル持続時間と比較して縮小されたシンボル持続時間の使用を含んでよい。より短いシンボル持続時間は、拡大されたサブキャリア間隔に関連し得る。eCCにおけるTTIは、1つまたは複数のシンボルからなり得る。場合によっては、TTI持続時間(すなわち、TTIの中のシンボル数)は可変であってよい。場合によっては、eCCは、他のCCとは異なるシンボル持続時間を利用してよく、そのことは、他のCCのシンボル持続時間と比較して縮小されたシンボル持続時間の使用を含んでよい。より短いシンボル持続時間は、拡大されたサブキャリア間隔に関連する。eCCを利用するUE115または基地局105などのデバイスは、縮小されたシンボル持続時間(たとえば、16.67マイクロ秒)において広帯域信号(たとえば、20、40、60、80MHzなど)を送信し得る。eCCにおけるTTIは、1つまたは複数のシンボルからなり得る。場合によっては、TTI持続時間(すなわち、TTIの中のシンボル数)は可変であってよい。
【００３９】
場合によっては、ワイヤレスシステム100は、認可無線周波数スペクトル帯域と無認可無線周波数スペクトル帯域の両方を利用し得る。たとえば、ワイヤレスシステム100は、5Ghz産業科学医療用(ISM:Industrial, Scientific, and Medical)バンドなどの無認可帯域の中で、LTE認可支援型アクセス(LTE-LAA:LTE License Assisted Access)もしくはLTE無認可(LTE U:LTE Unlicensed)無線アクセス技術またはNR技術を採用し得る。無認可無線周波数スペクトル帯域の中で動作するとき、基地局105およびUE115などのワイヤレスデバイスは、データを送信する前にチャネルがクリアであることを確実にするために、リッスンビフォアトーク(LBT:listen-before-talk)プロシージャを採用し得る。場合によっては、無認可帯域の中での動作は、認可帯域の中で動作するコンポーネントキャリア(CC)と結合したキャリアアグリゲーション(CA)構成に基づいてよい。無認可スペクトルの中での動作は、ダウンリンク送信、アップリンク送信、またはその両方を含み得る。無認可スペクトルの中での複信は、周波数分割複信(FDD)、時分割複信(TDD)、またはその両方の組合せに基づいてよい。
【００４０】
アップリンク送信を送信するとき、UE115は、UE115が送信を開始する時と基地局105がその送信を受信する時との間の伝搬遅延を補正し得る、タイミングアドバンス(TA)値を使用し得る。TA値は、受信されるダウンリンクTTIの開始と送信されるアップリンクTTIとの間の負のオフセットである。UE115におけるこのオフセットは、ダウンリンクTTI送信およびアップリンクTTI送信が基地局105において同期されることを確実にする助けとなり得る。サービング基地局105から比較的遠くに位置するUE115は、より大きい伝搬遅延に遭遇することがあり、そのため、そのアップリンク送信は、同じサービング基地局105のもっと近くにある別のUE115よりも早く開始される。sTTIを使用するとき、TA値は、sTTI持続時間の比較的大きい部分になることがあり、UE115が受信信号処理を実行するとともにアップリンク送信を送信するために利用可能な処理時間を低減するように機能し得る。したがって、いくつかの例では、最大TAしきい値は、十分な処理時間をUE115に与えるように設定されてよい。場合によっては、TA値がTAしきい値を超える場合、送信に関連する1つまたは複数のパラメータが、UE115における十分な処理時間を可能にするように調整されてよい。
【００４１】
図2は、短縮送信時間区間送信におけるタイミングアドバンス値に基づくワイヤレス送信タイミングのためのワイヤレス通信システム200の一例を示す。ワイヤレス通信システム200は、基地局105-aおよびUE115-aを含み、それらは、図1を参照しながら上記で説明したような基地局105およびUE115の態様の例であってよい。図2の例では、ワイヤレス通信システム200は5G RATまたはNR RATなどの無線アクセス技術(RAT:radio access technology)に従って動作し得るが、本明細書で説明する技法は、任意のRAT、および2つ以上の異なるRATを並行して使用し得るシステムに適用されてよい。
【００４２】
基地局105-aは、第1のCC205-a、第2のCC205-b、および第3のCC205-cを含む複数のコンポーネントキャリア(CC)205を介してUE115-aと通信し得る。いくつかの例では、基地局105-aは、CC205を介したUEとの通信用のリソースを割り振り得る。たとえば、基地局105-aは、UE115-aとの通信用のサブフレーム210を割り振ってよい。図2の例では、サブフレーム210-aは第1のCC205-aを使用して送信されてよく、サブフレーム210-bは第2のCC205-bを使用して送信されてよく、サブフレーム210-cは第3のCC205-cを使用して送信されてよい。上記のように、ワイヤレス通信システム200は、1つまたは複数のサブフレーム210が異なるTTI持続時間を使用し得る複数のTTI持続時間を使用して、通信を行い得る。いくつかの例では、サブフレーム210-a-1は、2つのスロット、すなわち、スロット0 220およびスロット1 225を含み得、2シンボルTTI230がスロット1 225の中に含まれ得る。2シンボルTTI230が図示されるが、sTTIは異なるシンボル持続時間を有してよい。いくつかの例では、sTTIは、サブフレーム210-a-2に示すような、sTTIが1msサブフレームの1つのスロットに相当するスロットTTI235であってよい。他の例では、TTIは、サブフレーム210-a-3に示すような、TTIがサブフレームの持続時間に相当する1ms TTI240であってよい。1ms TTI240は、場合によっては、レガシーLTE TTI持続時間に対応するレガシーTTIと呼ばれることもある。
【００４３】
上記のように、低レイテンシシステムでは、異なるsTTI長が、CC205を介した送信のために使用され得る。たとえば、2シンボルsTTI持続時間、3シンボルsTTI持続時間、および1スロットsTTI持続時間は、物理アップリンク制御チャネル(PUCCH)送信および物理アップリンク共有チャネル(PUSCH:physical uplink shared channel)送信(または、短縮PUCCH(sPUCCH)送信および短縮PUSCH(sPUSCH)送信)に対してサポートされ得る。本明細書で説明する様々な例はアップリンク通信に関して説明されるが、そのような技法はまた、いくつかの例ではダウンリンク通信に適用されてよい。
【００４４】
場合によっては、ワイヤレス通信に対するsTTI持続時間は、UE115-aまたは基地局105-aにおける1つまたは複数の他の動作に対するタイミングに影響を及ぼすことがある。たとえば、HARQ処理タイムラインがn+k規則に基づくことがあり、ここで、TTI nの中で受信された送信に対するフィードバックは、第1の利用可能なTTI n+k(ただし、k≧4)において提供される。2シンボルTTIを使用する例では、k=4である場合、受信されたsPSDCHとHARQ ACK/NAK送信との間に6シンボルのギャップがある。さらに、n+k規則はまた、アップリンク許可とPUSCH送信またはsPUSCH送信との間のタイミングに対して適用され得る。上記でも示したように、UE115-aに対するTA値は、n+k規則に関連するタイミングをさらに低減するように働いてよく、したがって、2シンボルsTTIに対する例における6シンボルのギャップを低減する。最大許容TA値に応じて、UE115-aが処理を実行するために残っている時間が決定される。たとえば、最大許容TAがTmaxである場合、2シンボルsTTIに対する処理のための残りの時間は、6*71μs-Tmax(ただし、71μsはシンボル持続時間に相当する)ほど短くてよい。Tmaxが比較的大きい数である場合、UE115-aは、処理を実行するとともにアップリンク送信を生成するのに十分な時間を有しないことがある。
【００４５】
UE115-aおよび基地局105-aがCAを使用して動作するとき、同じPUCCHグループの異なるCCにわたってダウンリンク時間不整合が許容され得るので、TA値は、利用可能な処理時間に対してもっと顕著な影響を有することがある。場合によっては、CCにわたる最高31μsの時間不整合が許容されてよく、UE115-aにおいて処理され得る。この時間不整合は、最高で最大時間不整合だけUE115-aにおける残りの処理時間をさらに低減し得る。さらに、場合によっては、各々が異なるアップリンク送信タイミングを有するような、異なるタイミングアドバンスグループ(TAG)が構成されてよい。各TAG内のCCは、それらのアップリンクタイミングの中で整合され得る。様々な例によれば、ワイヤレス送信に関連する1つまたは複数のパラメータが、TTI持続時間が異なるTTIに対するTA値および最大TAしきい値に基づいて設定されてよい。
【００４６】
図3は、短縮送信時間区間送信におけるタイミングアドバンス値に基づくワイヤレス送信タイミングのための複数のコンポーネントキャリアに対する、タイミングアドバンスの一例300を示す。図3に示すようなコンポーネントキャリアは、図1および図2に関して上記で説明したような、UEと基地局との間の低レイテンシ通信のために使用され得る。この例では、UEと基地局との間のワイヤレス送信のために2つのCC、すなわち、CC1 305およびCC2 310が構成され得る。CC1 305は、ダウンリンク送信315およびアップリンク送信320のために使用されてよく、1次TAG(pTAG:primary TAG)の中にあってよい。CC2 310は、ダウンリンク送信325およびアップリンク送信330のために使用されてよく、2次TAG(sTAG:secondary TAG)の中にあってよい。各CC305および310は、異なるTA値を有してよく、いくらかの量の時間不整合を有することがある。
【００４７】
図3の例では、全時間差335は、最も早いアップリンクsTTI330と最も遅いダウンリンクsTTI315との間の時間ギャップとして規定され得る。さらに、最大値(たとえば、31μs)を有してよい時間不整合340が存在することがある。n+k規則におけるkの値が固定されている場合には、UE処理のための残りの時間が十分であることを保証するために、総時間差Tdiff(実効的なTA値)335は、指定されたしきい値Tmaxを下回るべきである。指定されるしきい値Tmaxの値は、ダウンリンクセルにわたる相対的タイミング、ならびに所与のキャリアグループ(CG:carrier group)(たとえば、sPUCCHグループ)の中でTAGがどのように構成されるのかによって決まり得る。場合によっては、基地局は、最悪シナリオを想定してよく、Tmaxしきい値以下であるような総時間差335に基づいてUEをスケジュールしてよい。他の場合には、総時間差335がTmaxしきい値を上回ることがあり、n+k規則におけるkの値は、総時間差335がTmaxしきい値を上回るときに調整されてよい。たとえば、総時間差335がTmaxしきい値以下であるとき、kの値は4に設定されてよく、総時間差335がTmaxしきい値を超えるとき、kの値は6に(または、それよりも大きく)設定されてよい。
【００４８】
図4は、短縮送信時間区間送信におけるタイミングアドバンス値に基づくワイヤレス送信タイミングのための複数のコンポーネントキャリアに対する、タイミングアドバンスの別の例400を示す。図4に示すようなコンポーネントキャリアは、図1および図2に関して上記で説明したような、UEと基地局との間の低レイテンシ通信のために使用され得る。この例では、UEと基地局との間のワイヤレス送信のための同じTAGの中に2つのCC、すなわち、CC1 405およびCC2 410が構成され得る。CC1 405は、ダウンリンク送信415およびアップリンク送信420のために使用されてよく、TAG0の中にあってよい。CC2 410は、ダウンリンク送信425およびアップリンク送信430のために使用されてよく、やはりTAG0の中にあってよい。各CC405および410は、異なるTA値、すなわちCC1 405のためのTA-1 435およびCC2 410のためのTA-2 440を有し得るが、ほとんどまたはまったく時間不整合を有しないことがある。場合によっては、TA値は、CCのうちの最も早いULキャリアと最も遅いDLキャリアとの間の時間ギャップに基づいてよい。
【００４９】
そのような例では、セルにわたる最も大きいTA値、すなわち、TA-1 435が最大不整合値445(たとえば、31μs)よりも大きい場合、総時間差TdiffはTA-1 435であってよい。しかしながら、セルにわたる最も大きいTA値が最大不整合値445(たとえば、31μs)よりも小さい場合、Tdiffは最大不整合値445(たとえば、31μs)に設定されてよい。したがって、Tdiff≦Tmaxであることを確実にするために、以下の特性が強いられてよい。
max(最大不整合値、セルにわたる最も大きいTA値)≦Tmax
UEの最小処理タイムラインが常に満たされることを確実にするために、最も早いUL通信と最も遅いDL通信との間のギャップは、最大TAしきい値以下となるべきである。したがって、場合によっては、基地局は、上記の特性を維持するようにUEをスケジュールしてよい。他の場合には、総時間差TmaxがTmaxしきい値を上回ることがあり、n+k規則におけるkの値が調整されてよい。場合によっては、所与のCGのすべてのアップリンクCCにわたって単一のTAGを強いることは、基地局におけるスケジューリングを制約することがあり(同じロケーションにおいてCCが送信/受信されるように基本的に制約する)、図5に関して説明するように、CGごとに複数のTAGが許容されてよい。
【００５０】
図5Aおよび図5Bは、短縮送信時間区間送信におけるタイミングアドバンス値に基づくワイヤレス送信タイミングをサポートするコンポーネントキャリア間の最大タイミング不整合に関する、タイミングアドバンスの例500および555を示す。図5Aおよび図5Bに示すようなコンポーネントキャリアは、図1および図2に関して上記で説明したような、UEと基地局との間の低レイテンシ通信のために使用され得る。図5Aおよび図5Bの例では、UEと基地局との間のワイヤレス送信のための異なるTAGの中に2つのCC、すなわち、CC1 505およびCC2 510が構成され得る。CC1 505は、ダウンリンク送信515およびアップリンク送信520のために使用されてよく、pTAGの中にあってよい。CC2 510は、ダウンリンク送信525およびアップリンク送信530のために使用されてよく、sTAGの中にあってよい。
【００５１】
図5Aの例では、各CC505-aおよび510-aは、異なるTA値、すなわち、CC1 505-aのためのTA-1 535およびCC2 510-aのためのTA-2 540を有し得、CC間の最大時間不整合に相当する時間不整合545を有することがある。この例では、TA-2 540がTA-1 535よりも大きいことが想定され、その結果、総時間差Tdiffは、セルにわたる最大TA値(TA2)+最大時間不整合(たとえば、31μs)545に相当する。Tdiffに対するこの単一の値は、CG内のすべてのCCに対して使用され得る。
【００５２】
図5Bの例では、総時間差Tdiffは、単に最も大きいTA値であってよく、この場合、TA-2 565がTA-1 560+最大不整合値570よりも大きいときのTA-2 565である。したがって、複数のTAGが許容されるとき、総時間差Tdiffは、TAG間の最大時間不整合に関して、異なるCCに対するダウンリンクタイミングおよびアップリンクタイミングによって決まる。場合によっては、基地局は、セル間の正確な時間不整合に気づいていないことがあり、したがって、最悪の整合を想定してよく、最大時間差Tmaxを、セルにわたる最大TA値+最大時間不整合と比較してよい。場合によっては、UEは、TAを基地局に報告するように構成され得る。そのような場合には、TA報告はキャリアグループごとの最大TA値として提供されてよく、基地局はそれを使用して様々なタイミングパラメータを識別し得る。いくつかの例では、基地局およびUEは、TdiffがTmax以下であるとき、アップリンク送信およびダウンリンク送信に対してタイミングパラメータの第1のセットを使用するように構成されてよく、TdiffがTmaxを超えるとき、より緩和されたタイミングパラメータの第2のセットを使用するように構成されてよい。他の例では、基地局は、TdiffにTmaxを超えさせないようにスケジューリング決定を行ってよく、TA値および時間不整合値に対して1つまたは複数の想定を使用してよい。
【００５３】
図6は、短縮送信時間区間送信におけるタイミングアドバンス値に基づくワイヤレス送信タイミングをサポートする異なるPUCCHグループおよび異なるタイミングアドバンスグループの例600を示す。図6に示すものなどのキャリアグループは、図1および図2に関して上記で説明したような、UEと基地局との間の低レイテンシ通信のために使用され得る。図6の例では、UEと基地局との間のワイヤレス送信に対して2つのキャリアグループ、すなわち、PUCCHグループ1 605およびPUCCHグループ2 610が構成され得る。PUCCHグループ1は、2つのTAG、すなわちTAG1 615およびTAG2 620を有し得、PUCCHグループ2 610は、2つのTAG、すなわち、TAG3 625およびTAG4 630を有し得る。
【００５４】
PUCCHグループごとにTA値を決定するとき、最大時間差は、CCごとのTAまたはTAGごとのTAでなく、PUCCHグループごとのTAの関数である。いくつかの例では、UEは、PUCCHグループごとにTA値を決定し得る。したがって、図6の例では、PUCCHグループごとに、DL CCにわたる相対的タイミング、およびTAGがどのように構成されているのかに基づいて、動作および処理が管理され得る。
【００５５】
いくつかの例では、TA値およびTAしきい値に基づいて調整され得るパラメータのうちの1つは、HARQタイミング(たとえば、n+k規則)、および/またはsTTI送信に関連するアップリンク送信のためのスケジューリングを含み得る。場合によっては、TA値は、CC横断TA値の関数として決定される。CC横断TA値とは、アップリンク送信の中で使用中の各CCに共通のTA値である。場合によっては、CC横断TA値に対するTAしきい値は、sTTI長依存であってよい。たとえば、2シンボルsTTIに対してTAしきい値が設定されてよく、スロットsTTI持続時間または1ms TTI持続時間に対して最大値が設定されなくてよく、したがって、比較的長いTTI持続時間は、UEが処理を実行するための十分な処理時間を与えてよく、ULLが確立されたタイムライン(たとえば、n+k規則)をやはり満たし得る。場合によっては、TAしきい値はまた、UEのカテゴリーに依存し得る。たとえば、MTCタイプのUE(たとえば、cat-0 UEまたはcat-1 UE)は、たとえば、能力がもっと高いスマートフォンUEと比較して、より低い処理能力しか有しないことがあり、そのようなMTCタイプのUEは、追加の処理時間を必要とし得、したがって、UEの処理能力を適応させるために異なるTAしきい値を有してよい。場合によっては、TAしきい値は、単一キャリア動作とマルチキャリア動作の両方に対して識別され得る。
【００５６】
上記のように、場合によっては、CC横断TA値は、ワイヤレス送信に対するPUCCHグループ構成および/またはTAG構成によって決まり得る。UEによるTA報告は、サポートされる場合、CC横断TA値も反映し得る。場合によっては、TA値およびTAしきい値に基づいて設定され得る1つまたは複数のパラメータは、TBSスケーリングパラメータ、ワイヤレス送信のためにサポートすべきレイヤの数、CQI報告パラメータ、HARQタイミング(n+k規則におけるkの値)、ULスケジューリングタイミング、またはそれらの任意の組合せを含み得る。
【００５７】
場合によっては、TAしきい値Tmaxは、CCごとの動作を反映するように規定され得る。所与のPUCCHグループ内にマルチTAGが構成される場合、しきい値は、31μsなどのCC間の最大タイミング不整合が加算され得る。実際のCC横断TAがCC横断TAしきい値よりも大きいとき、UEは、TA報告が有効にされている場合、CCごとのTA値および/もしくはCC横断TA値を報告してよく、またはそのことはUE実装形態に基づいてよい。PUCCHグループは、たとえば、CA/DC構成の一部であってよく、CCは、LTE CCおよび/またはNR CCを含んでよい。
【００５８】
図7は、短縮送信時間区間送信におけるタイミングアドバンス値に基づくワイヤレス送信タイミングのためのプロセスフロー700の一例を示す。プロセスフロー700は、基地局105-bおよびUE115-bを含み得、それらは図1〜図2を参照しながら説明した対応するデバイスの例であってよい。基地局105-bおよびUE115-bは、ワイヤレス通信システムのための確立された接続確立技法に従って接続705を確立し得る。
【００５９】
基地局105-bは、ブロック710において、異なるTA値およびTAしきい値に対する送信パラメータを構成し得る。そのような構成は、2シンボルsTTI、スロットsTTI、または1ms TTIなどの、有効にされたTTI持続時間に基づいて決定され得る。いくつかの例では、TAしきい値は、2シンボルsTTI送信に対して構成され得る。基地局105-bは、パラメータ715をUE115-bへ送信し得る。いくつかの例では、基地局105-bは、接続確立の一部としてパラメータを用いてUE115-bを構成してよく、またはパラメータは標準化されてよく、UE115-bは、たとえば、sTTI持続時間に基づいてパラメータを決定し得る。場合によっては、パラメータは、ACK/NACKフィードバックを送信するためのタイムフレームのためなどの、タイムフレーム内で処理を実行するためにUE115-bにおいて十分な処理時間を与えるように選択され得る。UE115-bは、随意に、1つまたは複数のセルまたはCCに対するTA値を含み得るTA報告720を送信し得る。いくつかの例では、TA報告720は、TAグループに対するCC横断値、CCごとの個別TAのうちの1つもしくは複数に基づくCC横断値、2つ以上のCCに対するアップリンク時間不整合値、2つ以上のCCに対するダウンリンク時間不整合値、またはそれらの任意の組合せを含み得る。
【００６０】
ブロック725において、基地局105-bは、sTTIに対するアップリンクリソースを割り振り得、そのことはダウンリンク制御情報(DCI:downlink control information)730の中でUE115-bに提供され得る。場合によっては、割り振られたリソースは、UE処理タイムラインを適応させるアップリンクスケジューリング割振りを行うために識別され得る。場合によっては、UEに割り振られたCCに対するTA値がTAしきい値を超える場合、基地局105-bは、関連するアップリンク送信の前にUEにおいて追加の処理時間を与えるために、リソース割振りに関連する1つまたは複数のパラメータを設定するための表示を含めてよい。他の場合には、1つまたは複数のパラメータは、割り振られたアップリンクリソースに基づいて基地局105-bおよびUE115-bにおいて識別され得る。
【００６１】
たとえば、基地局105-bは、ブロック735において、TTIの中での送信用のCCを識別し得る。CCは、たとえば、アップリンク送信に対して割り振られたCCとして識別され得る。
【００６２】
基地局105-bは、ブロック740において、識別されたCCに対するTA値を識別し得る。上記で説明したように、そのようなTA値は、ワイヤレス送信のために使用されるべきTAGおよび/またはCGに対して識別され得る。基地局105-bは、UE115-bによって提供されるTA報告に基づいてTA値を識別し得るか、またはアクセスプロシージャの一部として提供されるものなどの1つもしくは複数の初期TA値に基づいてTA値を識別し得る。場合によっては、TA値は、追加または代替として、割り振られたCCに対する時間不整合値に基づいてよい。TA値は、場合によっては、CG内および/またはTAG内の複数のCCに対するCC横断TA値であってよい。
【００６３】
ブロック745において、基地局105-bは、TA値およびTAしきい値に基づいて送信パラメータを識別し得る。いくつかの例では、送信パラメータは、TBSスケーリングパラメータ、ワイヤレス送信のためにサポートすべきレイヤの数、CQI報告パラメータ、HARQタイミング(n+k規則におけるkの値)、ULスケジューリングタイミング、またはそれらの任意の組合せのうちの1つまたは複数を含み得る。いくつかの例では、送信パラメータを識別することは、PUCCHグループごとのCCの最大数を決定することを伴う。
【００６４】
同様に、UE115-bは、ブロック750において、TTIの中での送信用のCCを識別し得る。CCは、たとえば、アップリンク送信に対して割り振られたCCとして識別され得る。
【００６５】
UE115-bは、ブロック755において、識別されたCCに対するTA値を識別し得る。上記で説明したように、そのようなTA値は、ワイヤレス送信のために使用されるべきTAGおよび/またはCGに対して識別され得る。UE115-bは、基地局105-bとUE115-bとの間の伝搬遅延の測定などに基づく、確立された技法に従ってTA値を識別し得る。場合によっては、UE115-bは、TA報告を基地局105-bに提供し得る。場合によっては、TA値は、追加または代替として、割り振られたCCに対する時間不整合値に基づいてよい。TA値は、場合によっては、CG内および/またはTAG内の複数のCCに対するCC横断TA値であってよい。
【００６６】
ブロック760において、UE115-bは、TA値およびTAしきい値に基づいて送信パラメータを識別し得る。いくつかの例では、送信パラメータは、TBSスケーリングパラメータ、ワイヤレス送信のためにサポートすべきレイヤの数、CQI報告パラメータ、HARQタイミング(n+k規則におけるkの値)、ULスケジューリングタイミング、またはそれらの任意の組合せのうちの1つまたは複数を含み得る。いくつかの例では、送信パラメータを識別することは、PUCCHグループごとのCCの最大数を決定することを伴う。
【００６７】
UE115-bおよび基地局105-bは、割り振られたCC上の割り振られたリソースを使用してアップリンクおよびダウンリンク送信765を送信し得る。送信のためのタイミングは、上記で説明したように、場合によっては、TA値およびTAしきい値に基づいて決定され得る。たとえば、ブロック770において、UE115-bは、受信信号処理を実行し得る。そのような処理は、たとえば、HARQ ACK/NACKフィードバックの決定、またはアップリンク許可に続くアップリンクPUSCH送信の生成であってよい。UE115-bは、次いで、ACK/NACKフィードバック送信775などの関連するアップリンク送信を基地局105-bへ送信し得る。
【００６８】
図8は、本開示の様々な態様による、短縮送信時間区間送信におけるタイミングアドバンス値に基づくワイヤレス送信タイミングをサポートするワイヤレスデバイス805のブロック図800を示す。ワイヤレスデバイス805は、図1を参照しながら説明したようなユーザ機器(UE)115または基地局105の態様の一例であってよい。ワイヤレスデバイス805は、受信機810、タイミングマネージャ815、および送信機820を含み得る。ワイヤレスデバイス805はまた、プロセッサを含み得る。これらの構成要素の各々は、(たとえば、1つまたは複数のバスを介して)互いに通信していてよい。
【００６９】
受信機810は、パケット、ユーザデータ、または様々な情報チャネル(たとえば、制御チャネル、データチャネル、および短縮送信時間区間送信におけるタイミングアドバンス値に基づくワイヤレス送信タイミングに関係する情報など)に関連する制御情報などの、情報を受信し得る。情報は、デバイスの他の構成要素に渡されてよい。受信機810は、図11を参照しながら説明するトランシーバ1135の態様の一例であってよい。
【００７０】
タイミングマネージャ815は、図11を参照しながら説明するタイミングマネージャ1115の態様の一例であってよい。
【００７１】
タイミングマネージャ815、および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、タイミングマネージャ815、および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。タイミングマネージャ815、および/またはその様々なサブコンポーネントのうちの少なくともいくつかは、機能の部分が1つまたは複数の物理デバイスによって、異なる物理的ロケーションにおいて実装されるように分散されることを含めて、様々な位置において物理的に位置してよい。いくつかの例では、タイミングマネージャ815、および/またはその様々なサブコンポーネントのうちの少なくともいくつかは、本開示の様々な態様による個別の異なる構成要素であってよい。他の例では、タイミングマネージャ815、および/またはその様々なサブコンポーネントのうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【００７２】
タイミングマネージャ815は、ワイヤレス送信に関連するTA値を識別し得、ワイヤレス送信の送信時間区間(TTI)に基づいてTAしきい値を識別し得、TA値およびTAしきい値に基づいて、ワイヤレス送信に関連する1つまたは複数のパラメータを設定し得る。
【００７３】
送信機820は、デバイスの他の構成要素によって生成された信号を送信し得る。いくつかの例では、送信機820は、トランシーバモジュールの中で受信機810と一緒に置かれてよい。たとえば、送信機820は、図11を参照しながら説明するトランシーバ1135の態様の一例であってよい。送信機820は、単一のアンテナを含んでよく、またはアンテナのセットを含んでよい。
【００７４】
図9は、本開示の様々な態様による、短縮送信時間区間送信におけるタイミングアドバンス値に基づくワイヤレス送信タイミングをサポートするワイヤレスデバイス905のブロック図900を示す。ワイヤレスデバイス905は、図1および図8を参照しながら説明したようなワイヤレスデバイス805またはUE115もしくは基地局105の態様の一例であってよい。ワイヤレスデバイス905は、受信機910、タイミングマネージャ915、および送信機920を含み得る。ワイヤレスデバイス905はまた、プロセッサを含み得る。これらの構成要素の各々は、(たとえば、1つまたは複数のバスを介して)互いに通信していてよい。
【００７５】
受信機910は、パケット、ユーザデータ、または様々な情報チャネル(たとえば、制御チャネル、データチャネル、および短縮送信時間区間送信におけるタイミングアドバンス値に基づくワイヤレス送信タイミングに関係する情報など)に関連する制御情報などの、情報を受信し得る。情報は、デバイスの他の構成要素に渡されてよい。受信機910は、図11を参照しながら説明するトランシーバ1135の態様の一例であってよい。
【００７６】
タイミングマネージャ915は、図11を参照しながら説明するタイミングマネージャ1115の態様の一例であってよい。タイミングマネージャ915はまた、TA決定構成要素925、TAしきい値構成要素930、および送信パラメータモジュール935を含み得る。
【００７７】
TA決定構成要素925は、ワイヤレス送信用の2つ以上のCCを識別し得、TA値は、2つ以上のCCの各々にわたって共通であり、かつCCごとの個別TA、2つ以上のCCに対するアップリンク時間不整合値、または2つ以上のCCに対するダウンリンク時間不整合値のうちの1つまたは複数に基づく、TA値である。場合によっては、TAしきい値は、ワイヤレス送信用のCCの2つ以上のアップリンク制御チャネルグループの各々に対して識別される。
【００７８】
TAしきい値構成要素930は、ワイヤレス送信のTTIに基づいてTAしきい値を識別し得る。場合によっては、TAしきい値は、ワイヤレス送信用のCCのセットのCCごとに識別される。場合によっては、TAしきい値は、TAGおよび/またはCGのCCなどの、ワイヤレス送信用のCCのセットのCCごとに識別される。
【００７９】
送信パラメータモジュール935は、TA値およびTAしきい値に基づいて、ワイヤレス送信に関連する1つまたは複数のパラメータを設定し得る。場合によっては、1つまたは複数のパラメータは、ハイブリッド自動再送要求(HARQ)フィードバックタイミングパラメータ、トランスポートブロックサイズスケーリングパラメータ、サポートされる空間送信レイヤの数、チャネル品質情報(CQI)タイプ報告、またはアップリンク送信スケジューリングのためのタイミングのうちの1つまたは複数を含む。場合によっては、CCのセットは、1つもしくは複数のロングタームエボリューション(LTE)CC、1つもしくは複数のNR CC、またはそれらの組合せを含む。場合によっては、基地局は、ワイヤレス送信を送信するときに使用するために、1つまたは複数のパラメータをユーザ機器に提供し得る。場合によっては、UEは、ワイヤレス送信を送信するときに使用するために、基地局から1つまたは複数のパラメータを受信し得る。
【００８０】
送信機920は、デバイスの他の構成要素によって生成された信号を送信し得る。いくつかの例では、送信機920は、トランシーバモジュールの中で受信機910と一緒に置かれてよい。たとえば、送信機920は、図11を参照しながら説明するトランシーバ1135の態様の一例であってよい。送信機920は、単一のアンテナを含んでよく、またはアンテナのセットを含んでよい。
【００８１】
図10は、本開示の様々な態様による、短縮送信時間区間送信におけるタイミングアドバンス値に基づくワイヤレス送信タイミングをサポートするタイミングマネージャ1015のブロック図1000を示す。タイミングマネージャ1015は、図8、図9、および図11を参照しながら説明するタイミングマネージャ815、タイミングマネージャ915、またはタイミングマネージャ1115の態様の一例であってよい。タイミングマネージャ1015は、TA決定構成要素1020、TAしきい値構成要素1025、送信パラメータモジュール1030、HARQ構成要素1035、TAグループ識別構成要素1040、TTI識別構成要素1045、およびTA報告構成要素1050を含み得る。これらのモジュールの各々は、(たとえば、1つまたは複数のバスを介して)互いに直接または間接的に通信し得る。
【００８２】
TA決定構成要素1020は、ワイヤレス送信用の2つ以上のCCを識別し得、TA値は、2つ以上のCCの各々にわたって共通であり、かつCCごとの個別TA、2つ以上のCCに対するアップリンク時間不整合値、または2つ以上のCCに対するダウンリンク時間不整合値のうちの1つまたは複数に基づく。場合によっては、TAしきい値は、ワイヤレス送信用のCCの2つ以上のアップリンク制御チャネルグループの各々に対して識別される。
【００８３】
TAしきい値構成要素1025は、ワイヤレス送信のTTIに基づいてTAしきい値を識別し得る。場合によっては、TAしきい値は、ワイヤレス送信用のCCのセットのCCごとに識別される。場合によっては、TAしきい値は、ワイヤレス送信用のCCのセットのCCごとに識別される。
【００８４】
送信パラメータモジュール1030は、TA値およびTAしきい値に基づいて、ワイヤレス送信に関連する1つまたは複数のパラメータを設定し得る。場合によっては、1つまたは複数のパラメータは、HARQフィードバックタイミングパラメータ、トランスポートブロックサイズスケーリングパラメータ、サポートされる空間送信レイヤの数、CQIタイプ報告、またはアップリンク送信スケジューリングのためのタイミングのうちの1つまたは複数を含む。場合によっては、CCのセットは、1つもしくは複数のLTE CC、1つもしくは複数のNR CC、またはそれらの組合せを含む。場合によっては、1つまたは複数のパラメータを設定することは、物理アップリンク制御チャネル(PUCCH)グループごとのコンポーネントキャリア(CC)の最大数を決定することを含む。
【００８５】
HARQ構成要素1035は、HARQ処理を実行し得る。場合によっては、1つまたは複数のパラメータを設定することは、TA値およびTAしきい値に基づいて、ダウンリンク送信の受信の成功を示すためのフィードバックタイミングを設定することを含む。場合によっては、1つまたは複数のパラメータは、2つ以上のコンポーネントキャリアに対するTA値に基づいて設定されるHARQフィードバックタイミングパラメータを含む。
【００８６】
TAグループ識別構成要素1040は、2つ以上のTAグループを識別し得、ここで、TA値は、TAグループごとのTA値を含む。場合によっては、CCの各グループは、キャリアアグリゲーショングループまたはデュアル接続性グループの一部である。
【００８７】
TTI識別構成要素1045は、ワイヤレス送信に関連するTTIに対するTTI持続時間を識別し得る。場合によっては、TAしきい値を識別することは、ワイヤレス送信のTTIが2シンボルTTIであるとき、TAしきい値を第1のTAしきい値として識別することと、ワイヤレス送信のTTIが1スロットTTIまたは1ms TTIであるとき、TAしきい値を第2のTAしきい値として識別することとを含む。第2のTAしきい値は、1スロットTTIおよび1ms TTIにとって同じであってもなくてもよい。
【００８８】
TA報告構成要素1050は、TA値を基地局に報告し得、ここで、TA値は、ワイヤレス送信用の2つ以上のコンポーネントキャリアに基づくTA値に相当する。
【００８９】
図11は、本開示の様々な態様による、短縮送信時間区間送信におけるタイミングアドバンス値に基づくワイヤレス送信タイミングをサポートするデバイス1105を含むシステム1100の図を示す。デバイス1105は、たとえば、図1、図8、および図9を参照しながら上記で説明したような、ワイヤレスデバイス805、ワイヤレスデバイス905、またはUE115の構成要素の一例であってよく、またはそれを含んでよい。デバイス1105は、通信を送信および受信するための構成要素を含む双方向音声およびデータ通信のための構成要素を含み得、UEタイミングマネージャ1115、プロセッサ1120、メモリ1125、ソフトウェア1130、トランシーバ1135、アンテナ1140、およびI/Oコントローラ1145を含む。これらの構成要素は、1つまたは複数のバス(たとえば、バス1110)を介して電子通信していてよい。デバイス1105は、1つまたは複数の基地局105とワイヤレス通信し得る。
【００９０】
プロセッサ1120は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1120は、メモリコントローラを使用してメモリアレイを動作させるように構成され得る。他の場合には、メモリコントローラは、プロセッサ1120の中に統合されてよい。プロセッサ1120は、様々な機能(たとえば、短縮送信時間区間送信におけるタイミングアドバンス値に基づくワイヤレス送信タイミングをサポートする機能またはタスク)を実行するために、メモリの中に記憶されたコンピュータ可読命令を実行するように構成され得る。
【００９１】
メモリ1125は、ランダムアクセスメモリ(RAM)および読取り専用メモリ(ROM)を含み得る。メモリ1125は、実行されたとき、本明細書で説明する様々な機能をプロセッサに実行させる命令を含む、コンピュータ可読コンピュータ実行可能ソフトウェア1130を記憶し得る。場合によっては、メモリ1125は、特に、周辺構成要素または周辺デバイスとの相互作用などの基本的なハードウェアおよび/またはソフトウェア動作を制御し得る基本入出力システム(BIOS)を含み得る。
【００９２】
ソフトウェア1130は、短縮送信時間区間送信におけるタイミングアドバンス値に基づくワイヤレス送信タイミングをサポートするためのコードを含む、本開示の態様を実施するためのコードを含み得る。ソフトウェア1130は、システムメモリまたは他のメモリなどの非一時的コンピュータ可読媒体の中に記憶され得る。場合によっては、ソフトウェア1130は、プロセッサによって直接実行可能ではないことがあるが、本明細書で説明する機能をコンピュータに(たとえば、コンパイルおよび実行されたとき)実行させ得る。
【００９３】
トランシーバ1135は、上記で説明したように、1つまたは複数のアンテナ、有線リンク、またはワイヤレスリンクを介して双方向に通信し得る。たとえば、トランシーバ1135は、ワイヤレストランシーバを表してよく、別のワイヤレストランシーバと双方向に通信し得る。トランシーバ1135はまた、送信のためにパケットを変調するとともに被変調パケットをアンテナに提供するための、またアンテナから受信されたパケットを復調するための、モデムを含み得る。
【００９４】
場合によっては、ワイヤレスデバイスは単一のアンテナ1140を含み得る。しかしながら、場合によっては、デバイスは、複数のワイヤレス送信を並行して送信または受信することが可能であり得る2つ以上のアンテナ1140を有してよい。
【００９５】
I/Oコントローラ1145は、デバイス1105のための入力信号および出力信号を管理し得る。I/Oコントローラ1145はまた、デバイス1105の中に統合されていない周辺装置を管理し得る。場合によっては、I/Oコントローラ1145は、外部周辺装置への物理接続またはポートを表してよい。場合によっては、I/Oコントローラ1145は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ1145は、モデム、キーボード、マウス、タッチスクリーン、または類似のデバイスを表すことがあり、またはそれらと相互作用し得る。場合によっては、I/Oコントローラ1145は、プロセッサの一部として実装され得る。場合によっては、ユーザは、I/Oコントローラ1145を介して、またはI/Oコントローラ1145によって制御されるハードウェア構成要素を介して、デバイス1105と対話し得る。
【００９６】
図12は、本開示の様々な態様による、短縮送信時間区間送信におけるタイミングアドバンス値に基づくワイヤレス送信タイミングをサポートするデバイス1205を含むシステム1200の図を示す。デバイス1205は、たとえば、図1、図9、および図10を参照しながら上記で説明したような、ワイヤレスデバイス905、ワイヤレスデバイス1005、または基地局105の構成要素の一例であってよく、またはそれを含んでよい。デバイス1205は、通信を送信および受信するための構成要素を含む双方向音声およびデータ通信のための構成要素を含み得、基地局タイミングマネージャ1215、プロセッサ1220、メモリ1225、ソフトウェア1230、トランシーバ1235、アンテナ1240、ネットワーク通信マネージャ1245、および基地局通信マネージャ1250を含む。これらの構成要素は、1つまたは複数のバス(たとえば、バス1210)を介して電子通信していてよい。デバイス1205は、1つまたは複数のUE115とワイヤレス通信し得る。
【００９７】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1220は、メモリコントローラを使用してメモリアレイを動作させるように構成され得る。他の場合には、メモリコントローラは、プロセッサ1220の中に統合されてよい。プロセッサ1220は、様々な機能(たとえば、短縮送信時間区間送信におけるタイミングアドバンス値に基づくワイヤレス送信タイミングをサポートする機能またはタスク)を実行するために、メモリの中に記憶されたコンピュータ可読命令を実行するように構成され得る。
【００９８】
メモリ1225は、RAMおよびROMを含み得る。メモリ1225は、実行されたとき、本明細書で説明する様々な機能をプロセッサに実行させる命令を含む、コンピュータ可読コンピュータ実行可能ソフトウェア1230を記憶し得る。場合によっては、メモリ1225は、特に、周辺構成要素または周辺デバイスとの相互作用などの基本的なハードウェアおよび/またはソフトウェア動作を制御し得るBIOSを含み得る。
【００９９】
ソフトウェア1230は、短縮送信時間区間送信におけるタイミングアドバンス値に基づくワイヤレス送信タイミングをサポートするためのコードを含む、本開示の態様を実施するためのコードを含み得る。ソフトウェア1230は、システムメモリまたは他のメモリなどの非一時的コンピュータ可読媒体の中に記憶され得る。場合によっては、ソフトウェア1230は、プロセッサによって直接実行可能ではないことがあるが、本明細書で説明する機能をコンピュータに(たとえば、コンパイルおよび実行されたとき)実行させ得る。
【０１００】
トランシーバ1235は、上記で説明したように、1つまたは複数のアンテナ、有線リンク、またはワイヤレスリンクを介して双方向に通信し得る。たとえば、トランシーバ1235は、ワイヤレストランシーバを表してよく、別のワイヤレストランシーバと双方向に通信し得る。トランシーバ1235はまた、送信のためにパケットを変調するとともに被変調パケットをアンテナに提供するための、またアンテナから受信されたパケットを復調するための、モデムを含み得る。
【０１０１】
場合によっては、ワイヤレスデバイスは単一のアンテナ1240を含み得る。しかしながら、場合によっては、デバイスは、複数のワイヤレス送信を並行して送信または受信することが可能であり得る2つ以上のアンテナ1240を有してよい。
【０１０２】
ネットワーク通信マネージャ1245は、(たとえば、1つまたは複数の有線バックホールリンクを介した)コアネットワークとの通信を管理し得る。たとえば、ネットワーク通信マネージャ1245は、1つまたは複数のUE115などのクライアントデバイスのためのデータ通信の転送を管理し得る。
【０１０３】
基地局通信マネージャ1250は、他の基地局105との通信を管理し得、他の基地局105と協働してUE115との通信を制御するためのコントローラまたはスケジューラを含み得る。たとえば、基地局通信マネージャ1250は、ビームフォーミングまたはジョイント送信などの様々な干渉軽減技法のために、UE115への送信のためのスケジューリングを調和させ得る。いくつかの例では、基地局通信マネージャ1250は、基地局105の間で通信を行うために、LTE/LTE-Aワイヤレス通信ネットワーク技術内のX2インターフェースを提供し得る。
【０１０４】
図13は、本開示の様々な態様による、短縮送信時間区間送信におけるタイミングアドバンス値に基づくワイヤレス送信タイミングのための方法1300を示すフローチャートを示す。方法1300の動作は、本明細書で説明するようなUE115もしくは基地局105またはその構成要素によって実施され得る。たとえば、方法1300の動作は、図8〜図10を参照しながら説明したようなタイミングマネージャによって実行され得る。いくつかの例では、UE115または基地局105は、以下で説明する機能を実行するようにデバイスの機能要素を制御するためのコードのセットを実行し得る。追加または代替として、UE115または基地局105は、以下で説明する機能の態様を、専用ハードウェアを使用して実行し得る。
【０１０５】
ブロック1305において、UE115または基地局105は、ワイヤレス送信に関連するTA値を識別し得る。ブロック1305の動作は、図1〜図7を参照しながら説明した方法に従って実行され得る。いくつかの例では、ブロック1305の動作の態様は、図8〜図10を参照しながら説明したようなTA決定構成要素によって実行され得る。
【０１０６】
ブロック1310において、UE115または基地局105は、ワイヤレス送信のTTIに少なくとも部分的に基づいてTAしきい値を識別し得る。ブロック1310の動作は、図1〜図7を参照しながら説明した方法に従って実行され得る。いくつかの例では、ブロック1310の動作の態様は、図8〜図10を参照しながら説明したようなTAしきい値構成要素によって実行され得る。
【０１０７】
ブロック1315において、UE115または基地局105は、TA値およびTAしきい値に少なくとも部分的に基づいて、ワイヤレス送信に関連する1つまたは複数のパラメータを設定し得る。ブロック1315の動作は、図1〜図7を参照しながら説明した方法に従って実行され得る。いくつかの例では、ブロック1315の動作の態様は、図8〜図10を参照しながら説明したような送信パラメータモジュールによって実行され得る。
【０１０８】
図14は、本開示の様々な態様による、短縮送信時間区間送信におけるタイミングアドバンス値に基づくワイヤレス送信タイミングのための方法1400を示すフローチャートを示す。方法1400の動作は、本明細書で説明するようなUE115もしくは基地局105またはその構成要素によって実施され得る。たとえば、方法1400の動作は、図8〜図10を参照しながら説明したようなタイミングマネージャによって実行され得る。いくつかの例では、UE115または基地局105は、以下で説明する機能を実行するようにデバイスの機能要素を制御するためのコードのセットを実行し得る。追加または代替として、UE115または基地局105は、以下で説明する機能の態様を、専用ハードウェアを使用して実行し得る。
【０１０９】
ブロック1405において、UE115または基地局105は、ワイヤレス送信用の2つ以上のCCを識別し得、ここで、TA値は、2つ以上のCCの各々にわたって共通であり、かつCCごとの個別TA、2つ以上のCCに対するアップリンク時間不整合値、または2つ以上のCCに対するダウンリンク時間不整合値のうちの1つまたは複数に基づく。場合によっては、2つ以上のCCは、同じタイミングアドバンスグループに属し得る。ブロック1405の動作は、図1〜図7を参照しながら説明した方法に従って実行され得る。いくつかの例では、ブロック1405の動作の態様は、図8〜図10を参照しながら説明したようなTA決定構成要素によって実行され得る。
【０１１０】
ブロック1410において、UE115または基地局105は、ワイヤレス送信に関連するTA値を識別し得る。ブロック1410の動作は、図1〜図7を参照しながら説明した方法に従って実行され得る。いくつかの例では、ブロック1410の動作の態様は、図8〜図10を参照しながら説明したようなTA決定構成要素によって実行され得る。
【０１１１】
ブロック1415において、UE115または基地局105は、ワイヤレス送信のTTIに少なくとも部分的に基づいてTAしきい値を識別し得る。ブロック1415の動作は、図1〜図7を参照しながら説明した方法に従って実行され得る。いくつかの例では、ブロック1415の動作の態様は、図8〜図10を参照しながら説明したようなTAしきい値構成要素によって実行され得る。
【０１１２】
ブロック1420において、UE115または基地局105は、TA値およびTAしきい値に少なくとも部分的に基づいて、ワイヤレス送信に関連する1つまたは複数のパラメータを設定し得る。ブロック1420の動作は、図1〜図7を参照しながら説明した方法に従って実行され得る。いくつかの例では、ブロック1420の動作の態様は、図8〜図10を参照しながら説明したような送信パラメータモジュールによって実行され得る。
【０１１３】
図15は、本開示の様々な態様による、短縮送信時間区間送信におけるタイミングアドバンス値に基づくワイヤレス送信タイミングのための方法1500を示すフローチャートを示す。方法1500の動作は、本明細書で説明するようなUE115もしくは基地局105またはその構成要素によって実施され得る。たとえば、方法1500の動作は、図8〜図10を参照しながら説明したようなタイミングマネージャによって実行され得る。いくつかの例では、UE115または基地局105は、以下で説明する機能を実行するようにデバイスの機能要素を制御するためのコードのセットを実行し得る。追加または代替として、UE115または基地局105は、以下で説明する機能の態様を、専用ハードウェアを使用して実行し得る。
【０１１４】
ブロック1505において、UE115または基地局105は、ワイヤレス送信に関連するTA値を識別し得る。ブロック1505の動作は、図1〜図7を参照しながら説明した方法に従って実行され得る。いくつかの例では、ブロック1505の動作の態様は、図8〜図10を参照しながら説明したようなTA決定構成要素によって実行され得る。
【０１１５】
ブロック1510において、UE115または基地局105は、ワイヤレス送信のTTIに少なくとも部分的に基づいてTAしきい値を識別し得る。ブロック1510の動作は、図1〜図7を参照しながら説明した方法に従って実行され得る。いくつかの例では、ブロック1510の動作の態様は、図8〜図10を参照しながら説明したようなTAしきい値構成要素によって実行され得る。
【０１１６】
ブロック1515において、UE115または基地局105は、TA値およびTAしきい値に少なくとも部分的に基づいて、ワイヤレス送信に関連する1つまたは複数のパラメータを設定し得る。ブロック1515の動作は、図1〜図7を参照しながら説明した方法に従って実行され得る。いくつかの例では、ブロック1515の動作の態様は、図8〜図10を参照しながら説明したような送信パラメータモジュールによって実行され得る。
【０１１７】
ブロック1520において、UE115または基地局105は、TA値を基地局に報告し得、TA値は、ワイヤレス送信用の2つ以上のコンポーネントキャリアに基づくTA値に相当する。ブロック1520の動作は、図1〜図7を参照しながら説明した方法に従って実行され得る。いくつかの例では、ブロック1520の動作の態様は、図8〜図10を参照しながら説明したようなTA報告構成要素によって実行され得る。
【０１１８】
上記で説明した方法が、可能な実装形態を説明していること、ならびに動作およびステップが、並べ替えられるか、または他の方法で修正されてよく、他の実装形態が可能であることに留意されたい。さらに、方法のうちの2つ以上からの態様が組み合わせられてよい。
【０１１９】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格を包含する。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形を含む。時分割多元接続(TDMA)システムは、モバイル通信用グローバルシステム(GSM(登録商標))などの無線技術を実装し得る。
【０１２０】
直交周波数分割多元接続(OFDMA)システムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。3GPPロングタームエボリューション(LTE)およびLTEアドバンスト(LTE-A)は、E-UTRAを使用するユニバーサル移動電気通信システム(UMTS)のリリースである。UTRA、E-UTRA、UMTS、LTE、LTE-A、NR、およびモバイル通信用グローバルシステム(GSM(登録商標))は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、上述のシステムおよび無線技術ならびに他のシステムおよび無線技術のために使用され得る。LTEシステムまたはNRシステムの態様が、例として説明されることがあり、説明の大部分においてLTE用語またはNR用語が使用されることがあるが、本明細書で説明した技法はLTE適用例またはNR適用例以外に適用可能である。
【０１２１】
本明細書で説明したそのようなネットワークを含むLTE/LTE-Aネットワークでは、発展型ノードB(eNB)という用語は、概して、基地局を表すために使用され得る。本明細書で説明した1つまたは複数のワイヤレス通信システムは、異なるタイプの発展型ノードB(eNB)が様々な地理的領域にカバレージを提供する、異種LTE/LTE-AまたはNRネットワークを含み得る。たとえば、各eNB、gNB、または基地局は、マクロセル、スモールセル、または他のタイプのセル用の通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０１２２】
基地局は、トランシーバ基地局、無線基地局、アクセスポイント、無線トランシーバ、ノードB、eノードB(eNB)、次世代ノードB(gNB)、ホームノードB、ホームeノードB、または何らかの他の好適な用語を含んでよく、または当業者によってそのように呼ばれることがある。基地局のための地理的カバレージエリアは、カバレージエリアの一部分のみを構成するセクタに分割され得る。本明細書で説明した1つまたは複数のワイヤレス通信システムは、異なるタイプの基地局(たとえば、マクロ基地局またはスモールセル基地局)を含み得る。本明細書で説明したUEは、マクロeNB、スモールセルeNB、gNB、中継基地局などを含む、様々なタイプの基地局およびネットワーク機器と通信できる場合がある。異なる技術のための重複する地理的カバレージエリアがあり得る。
【０１２３】
マクロセルは、概して、比較的大きい地理的エリア(たとえば、半径数キロメートル)をカバーし、ネットワークプロバイダのサービスに加入しているUEによる無制限アクセスを可能にし得る。スモールセルは、同じかまたは異なる(たとえば、認可、無認可など)周波数帯域の中でマクロセルとして動作し得る、マクロセルと比較して低電力基地局である。スモールセルは、様々な例によれば、ピコセル、フェムトセル、およびマイクロセルを含み得る。ピコセルは、たとえば、小さい地理的エリアをカバーしてよく、ネットワークプロバイダのサービスに加入しているUEによる無制限アクセスを可能にし得る。フェムトセルも、小さい地理的エリア(たとえば、自宅)をカバーしてよく、フェムトセルとの関連付けを有するUE(たとえば、限定加入者グループ(CSG:closed subscriber group)の中のUE、自宅の中のユーザ用のUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。
【０１２４】
本明細書で説明した1つまたは複数のワイヤレス通信システムは、同期動作または非同期動作をサポートし得る。同期動作の場合、基地局は、類似のフレームタイミングを有してよく、異なる基地局からの送信は、時間的にほぼ整合され得る。非同期動作の場合、基地局は、異なるフレームタイミングを有することがあり、異なる基地局からの送信は、時間的に整合されないことがある。本明細書で説明した技法は、同期動作または非同期動作のいずれに使用されてもよい。
【０１２５】
本明細書で説明したダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明した各通信リンクは、1つまたは複数のキャリアを含んでよく、ここで、各キャリアは、複数のサブキャリア(たとえば、異なる周波数の波形信号)で構成される信号であり得る。
【０１２６】
添付の図面に関して本明細書に記載された説明は、例示的な構成を説明しており、実装され得るかまたは特許請求の範囲内に入るすべての例を表すとは限らない。本明細書で使用する「例示的」という用語は、「例、事例、または例示として働くこと」を意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践され得る。いくつかの事例では、説明した例の概念を不明瞭にすることを避けるために、よく知られている構造およびデバイスがブロック図の形態で示される。
【０１２７】
添付の図では、同様の構成要素または特徴は、同じ参照ラベルを有することがある。さらに、同じタイプの様々な構成要素は、参照ラベルの後に、ダッシュと、同様の構成要素を区別する第2のラベルとを続けることによって区別され得る。第1の参照ラベルのみが本明細書において使用される場合、説明は、第2の参照ラベルにかかわらず、同じ第1の参照ラベルを有する同様の構成要素のうちのいずれにも適用可能である。
【０１２８】
本明細書で説明した情報および信号は、様々な異なる技術および技法のいずれかを使用して表されてよい。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０１２９】
本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０１３０】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてもよい。他の例および実装形態が、本開示および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装することができる。機能を実施する特徴はまた、異なる物理的ロケーションにおいて機能の部分が実装されるように分散されることを含めて、様々な位置に物理的に位置してよい。また、特許請求の範囲内を含めて本明細書で使用するとき、項目の列挙(たとえば、「のうちの少なくとも1つ」または「のうちの1つまたは複数」などの句で終わる項目の列挙)において使用される「または」は、たとえば、A、B、またはCのうちの少なくとも1つの列挙が、AまたはBまたはCまたはABまたはACまたはBCまたはABC(すなわち、AおよびBおよびC)を意味するような包括的列挙を示す。また、本明細書で使用する「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるものとする。
【０１３１】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用コンピュータもしくは専用コンピュータまたは汎用プロセッサもしくは専用プロセッサによってアクセスされ得る、任意の他の非一時的媒体を備え得る。また、任意の接続が、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０１３２】
本明細書での説明は、当業者が本開示を作成または使用することを可能にするために与えられる。本開示の様々な修正は、当業者に容易に明らかになり、本明細書で定義される一般原理は、本開示の範囲から逸脱することなく他の変形形態に適用され得る。したがって、本開示は、本明細書で説明した例および設計に限定されず、本明細書で開示する原理および新規の特徴と一致する最も広い範囲が与えられるべきである。
【符号の説明】
【０１３３】
100  ワイヤレス通信システム
105  基地局
110  地理的カバレージエリア
115  ユーザ機器
125  通信リンク
130  コアネットワーク
132  バックホールリンク
134  バックホールリンク
205  コンポーネントキャリア
210  サブフレーム
220  スロット0
225  スロット1
230  2シンボルTTI
235  スロットTTI
240  1ms TTI
305  コンポーネントキャリア1
310  コンポーネントキャリア2
315  ダウンリンク送信
320  アップリンク送信
325  ダウンリンク送信
330  アップリンク送信
335  総時間差
340  時間不整合
605  PUCCHグループ1
610  PUCCHグループ2
615  TAG1
620  TAG2
625  TAG3
630  TAG4
805  ワイヤレスデバイス
810  受信機
815  タイミングマネージャ
820  送信機
925  TA決定構成要素
930  TAしきい値構成要素
935  送信パラメータモジュール
1020  TA決定構成要素
1025  TAしきい値構成要素
1030  送信パラメータモジュール
1035  HARQ構成要素
1040  TAグループ識別構成要素
1045  TTI識別構成要素
1050  TA報告構成要素
1110  バス
1115  UEタイミングマネージャ
1120  プロセッサ
1125  メモリ
1130  ソフトウェア
1135  トランシーバ
1140  アンテナ
1145  I/Oコントローラ
1210  バス
1215  基地局タイミングマネージャ
1220  プロセッサ
1225  メモリ
1230  ソフトウェア
1235  トランシーバ
1240  アンテナ
1245  ネットワーク通信マネージャ
1250  基地局通信マネージャ
【図１】
2020501435.tif 000003
【図２】
2020501435.tif 000004
【図３】
2020501435.tif 000005
【図４】
2020501435.tif 000006
【図５Ａ】
2020501435.tif 000007
【図５Ｂ】
2020501435.tif 000008
【図６】
2020501435.tif 000009
【図７】
2020501435.tif 000010
【図８】
2020501435.tif 000011
【図９】
2020501435.tif 000012
【図１０】
2020501435.tif 000013
【図１１】
2020501435.tif 000014
【図１２】
2020501435.tif 000015
【図１３】
2020501435.tif 000016
【図１４】
2020501435.tif 000017
【図１５】
2020501435.tif 000018
【国際調査報告】
2020501435.tif 000019
2020501435.tif 000020
2020501435.tif 000021